(57)【要約】【課題】表示部の向きを自在に変えることができ、表示部で表示される情報を適宜変化させることができる表示装置を提供する。【解決手段】ＲＯＭ１４に記憶された情報が制御部２８により液晶表示パネル１２に表示され、モータ２２の駆動が制御部２８により制御されて液晶表示パネル１２が所定の方向に回転される。このように、液晶表示パネル１２に情報が表示された状態で液晶表示パネル１２を自在に回転させることができるため、他の方向に配置されている対象物に対しても液晶表示パネル１２を向けることができる。この結果、他の方向に配置されている対象物についての説明や宣伝などを液晶表示パネル１２で表示させることができる。【選択図】      図１
2007171355.tif 000002
【特許請求の範囲】
【請求項１】
所定の情報を表示する表示部と、
前記表示部に表示される情報を記憶する記憶部と、
前記表示部を所定の方向に回転させる回転駆動部と、
前記記憶部に記憶された情報を前記表示部に表示させるとともに、前記回転駆動部の駆動を制御する制御部と、
を含んで構成されたことを特徴とする表示装置。
【請求項２】
前記表示装置に対して無線又は有線により接続された通信装置からの信号を受信する通信部を有し、
前記通信部で受信した前記通信装置からの信号に基づいて前記制御部により前記回転駆動部が制御されることを特徴とする請求項１に記載の表示装置。
【請求項３】
前記表示部の回転角度を検出する回転角度検出部を有し、
前記記憶部には前記表示部の回転角度と前記表示部で表示される情報との対応関係が記憶されており、
前記回転角度検出部により検出された前記表示部の回転角度に対応する情報が前記制御部により前記表示部に表示されることを特徴とする請求項１又は２に記載の表示装置。
【発明の詳細な説明】
【技術分野】
【０００１】
本発明は、所定の情報を表示する表示装置に係り、特に、例えば外部からの操作により回転可能な表示装置に関する。
【背景技術】
【０００２】
従来の表示装置は、表示部で所定の情報が表示された状態で、そのまま固定されているものが主流である。この表示装置では、表部と対向する位置に存在する対象物を、表示部で所定の情報を表示させることにより宣伝等することができる。
【特許文献１】特別２００５−２８３８６７号公報
【発明の開示】
【発明が解決しようとする課題】
【０００３】
ところが、上記表示装置では、表示部と対向する位置以外の位置に存在する対象物に対しては、表示部の位置（向き）を移動（変更）させない限り、宣伝等することが困難となる。また、例えば、表示装置を、展示会の商品説明や、ショールーム用のメッセージボード、あるいは競売、セリ市場等で情報表示として使用する場合には、表示部で表示される情報を状況に合わせて適宜変化させる必要がある。
【０００４】
そこで、本発明は、上記事情を考慮し、表示部の向きを自在に変えることができ、表示部で表示される情報を適宜変化させることができる表示装置を提供することを目的とする。
【課題を解決するための手段】
【０００５】
請求項１に記載の発明は、所定の情報を表示する表示部と、前記表示部に表示される情報を記憶する記憶部と、前記表示部を所定の方向に回転させる回転駆動部と、前記記憶部に記憶された情報を前記表示部に表示させるとともに、前記回転駆動部の駆動を制御する制御部と、を含んで構成されたことを特徴とする。
【０００６】
請求項１に記載の発明によれば、記憶部に記憶された情報が制御部により表示部に表示される。また、回転駆動部の駆動が制御部により制御されて表示部が所定の方向に回転される。このように、表示部に情報が表示された状態で表示部を自在に回転させることができるため、他の方向に配置されている対象物に対しても表示部を向けることができる。この結果、他の方向に配置されている対象物についての説明や宣伝などを表示部で表示させることができる。
【０００７】
請求項２に記載の発明は、請求項１に記載の表示装置において、前記表示装置に対して無線又は有線により接続された通信装置からの信号を受信する通信部を有し、前記通信部で受信した前記通信装置からの信号に基づいて前記制御部により前記回転駆動部が制御されることを特徴とする。
【０００８】
請求項２に記載の発明によれば、通信部で受信した通信装置からの信号に基づいて制御部により回転駆動部が制御されることにより、外部からの遠隔操作により表示部の向きを自在に変えることができる。
【０００９】
請求項３に記載の発明は、請求項１又は２に記載の表示装置において、前記表示部の回転角度を検出する回転角度検出部を有し、前記記憶部には前記表示部の回転角度と前記表示部で表示される情報との対応関係が記憶されており、前記回転角度検出部により検出された前記表示部の回転角度に対応する情報が前記制御部により前記表示部に表示されることを特徴とする。
【００１０】
請求項３に記載の発明によれば、記憶部には表示部の回転角度と表示部で表示される情報との対応関係が記憶されており、回転角度検出部により検出された表示部の回転角度に対応する情報が制御部により表示部に表示される。これにより、表示部の回転角度に応じて表示部に表示される情報を適宜替えることができ、表示部の回転角度に対応した情報を表示部に常に表示させることができる。
【発明の効果】
【００１１】
本発明によれば、表示部の向きを自在に変えることができ、表示部で表示される情報を適宜変化させることができる。
【発明を実施するための最良の形態】
【００１２】
次に、本発明の一実施形態に係る表示装置について、図面を参照して説明する。
【００１３】
図１及び図２に示すように、表示装置１０は、所定の情報が表示される液晶表示パネル１２を備えている。また、表示装置１０は、液晶表示パネル１２に表示される情報が記憶されるＲＯＭ１４を備えている。特に、ＲＯＭ１４には、液晶表示パネル１２の回転角度と液晶表示パネル１２に表示される情報との対応関係がテーブルとして記憶されている。また、表示装置１０は、液晶表示パネル１２の回転角度（あるいは、後述の回転軸２０の回転角度）を検出する角度センサ１６を備えている。また、表示装置１０は、液晶表示パネル１２を有する筐体１８を備えている。この筐体１８の上面には回転軸２０が取り付けられており、回転軸２０の回転に伴い、筐体１８が液晶表示パネル１２とともに回転するように構成されている。また、回転軸２０には、モータ２２が接続されており、モータ２２の駆動とともに回転軸２０が回転する。また、表示装置１０は、有線又は無線で接続された外部の通信装置２４からの信号（特に、液晶表示パネル１２の回転操作に関する信号）を受信する通信部２６を備えている。さらに、表示装置１０は、ＲＯＭ１４に記憶されている情報を液晶表示パネル１２に表示させるとともに、回転軸２０及びモータ２２の駆動を制御する制御部２８を備えている。この制御部２８により、通信部２６で受信した通信装置２４からの信号に基づいて回転軸２０及びモータ２２が制御される。また、制御部２８により、角度センサ１６により検出された液晶表示パネル１２の回転角度に対応する情報が、液晶表示パネル１２に表示される。
【００１４】
次に、本実施形態の表示装置１０の作用について、図３に示すフローチャートに基づいて説明する。
【００１５】
図３に示すように、外部の通信装置２４からの信号（例えば、液晶表示パネル１２の回転操作に関する信号）を通信部２６で受信したか否かが制御部２８により判断される（Ｓ１０）。外部の通信装置２４からの信号（例えば、液晶表示パネル１２の回転操作に関する信号）を通信部２６で受信したと判断されると（Ｓ１０：ＹＥＳ）、その信号に基づいてモータ２２の駆動が制御部２８により制御される（Ｓ２０）。これにより、液晶表示パネル１２は、回転軸２０とともに回転し、通信装置２４からの信号に基づいた方向に向けられる（Ｓ３０）。このとき、液晶表示パネル１２の回転角度は角度センサ１６により検出され、制御部２８は角度センサ１６の検出結果に基づいて液晶表示パネル１２の回転角度（向き）を認識する。そして、制御部２８は、角度センサ１６で検出された液晶表示パネル１２の回転角度に基づいて、液晶表示パネル１２の回転角度と対応する情報をＲＯＭ１４から呼び出し、その呼び出した情報を液晶表示パネル１２に表示させる（Ｓ４０）。これにより、液晶表示パネル１２の回転角度に対応した情報を常に液晶表示パネル１２に表示させることができる。一方、Ｓ１０において、外部の通信装置２４からの信号（例えば、液晶表示パネル１２の回転操作に関する信号）を通信部２６で受信していないと制御部２８により判断されると（Ｓ１０：ＮＯ）、現在の液晶表示パネル１２の位置が角度センサ１６により検出された後、制御部２８は液晶表示パネル１２の回転角度と対応する情報をＲＯＭ１４から呼び出し、その呼び出した情報を液晶表示パネル１２に表示させる（Ｓ４０）。なお、Ｓ４０の工程終了後は、Ｓ１０に戻り、上記各工程が繰り返される。
【００１６】
以上のように、本実施形態の表示装置１０は、液晶表示パネル１２に情報が表示された状態で液晶表示パネル１２を自在に回転させることができるため、他の方向に配置されている対象物に対しても液晶表示パネル１２を向けることができる。この結果、他の方向に配置されている対象物についての説明や宣伝などを液晶表示パネル１２で表示させることができる。
【００１７】
特に、通信部２６で受信した外部の通信装置２４からの信号に基づいて制御部２８により回転軸２０及びモータ２２が制御されるため、外部からの遠隔操作により液晶表示パネル１２の向きを自在に変えることができる。
【００１８】
また、ＲＯＭ１４には液晶表示パネル１２の回転角度と液晶表示パネル１２で表示される情報との対応関係が記憶されており、角度センサ１６により検出された液晶表示パネル１２の回転角度に対応する情報が制御部２８により液晶表示パネル１２に表示される。これにより、液晶表示パネル１２の回転角度に応じて液晶表示パネル１２に表示される情報を適宜替えることができ、液晶表示パネル１２の回転角度に対応した情報を液晶表示パネル１２に常に表示させることができる。
【図面の簡単な説明】
【００１９】
【図１】本発明の一実施形態に係る表示装置の斜視図である。
【図２】本発明の一実施形態に係る表示装置のブロック図である。
【図３】本発明の一実施形態に係る表示装置の作用を示すフローチャートである。
【符号の説明】
【００２０】
１０      表示装置
１２      液晶表示パネル（液晶表示部）
１４      ＲＯＭ（記憶部）
１６      角度センサ（回転角度検出部）
２０      回転軸（回転駆動部）
２２      モータ（回転駆動部）
２４      通信装置
２６      通信部
２８      制御部
【図１】
2007171355.tif 000003
【図２】
2007171355.tif 000004
【図３】
2007171355.tif 000005